(57)【要約】【課題】室内機を接続するか否かにかかわらず、容易に設置することが可能な温水暖房付エアコンの室外機を提供する。【解決手段】冷媒が循環する冷媒管５、温水が循環する循環水管７、空気冷媒熱交換器８、圧縮機１０、温水冷媒熱交換器１１、冷媒減圧機構１４，１５、循環ポンプ１９、及び室外機コントローラ２３を備えた温水暖房付エアコン１の室外機２において、室外機コントローラ２３は、室外機２の電源投入時に室内機コントローラ２４との通信の有無を検査する接続検査手段と、接続検査手段が室内機コントローラ２４との通信を検知しなかった場合、床暖房装置４の設定温度のみに従って圧縮機１０と循環ポンプ１９との制御を行う単独運転制御手段とを備えた構成とした。接続検査手段により室内機３の有無を自動検出し、室外機２の動作を切り換えることで、容易に設置することが可能となる。【選択図】          図１
2005024199.tif 000002
【特許請求の範囲】
【請求項１】
冷媒と室内空気との間で熱交換を行う室内熱交換器と室内機コントローラとを内蔵する室内機に接続され、前記冷媒が循環する冷媒管、
温水暖房装置に接続され、前記温水が循環する循環水管、
室外の空気と前記冷媒との熱交換を行う空気冷媒熱交換器、
前記空気冷媒熱交換器を通過した前記冷媒を加圧する圧縮機、
前記圧縮機で加圧された冷媒と循環水管内の循環水との間で熱交換し、前記循環水を加温する温水冷媒熱交換器、
前記温水冷媒熱交換器を通過した前記冷媒を減圧して前記空気冷媒熱交換器に送る冷媒減圧機構、
循環水管内に循環水を循環させる循環ポンプ、
及び、前記圧縮機と前記循環ポンプとの動作制御を行う室外機コントローラ、を備えた温水暖房付エアコンの室外機であって、
前記室外機コントローラは、
前記室外機の電源投入時に前記室内機コントローラとの通信の有無を検査する接続検査手段と、
前記接続検査手段が前記室内機コントローラとの通信を検知しなかった場合、前記床暖房装置の設定温度に従って制御を行う単独運転制御手段と、
を備えていることを特徴とする温水暖房付エアコンの室外機。
【請求項２】
前記室外機の内部に配設され、前記室内機に対して並列に前記冷媒管に接続されたバイパス管と、
前記バイパス管に配設されたバイパス管遮断弁と、
を備え、
単独運転制御手段は、前記接続検査手段が前記室内機コントローラとの通信を検知しなかった場合には前記バイパス管遮断弁を開弁し、前記接続検査手段が前記室内機コントローラとの通信を検知した場合には前記バイパス管遮断弁を閉止すること
を特徴とする請求項１記載の温水暖房付エアコンの室外機。
【請求項３】
前記温水暖房装置は、温水式の床暖房装置であることを特徴とする請求項１又は２記載の温水暖房付エアコンの室外機。
【発明の詳細な説明】
【０００１】
【発明の属する技術分野】
本発明は、冷媒により室内機で室内暖房を行うと同時に温水暖房装置の循環水を加温し、加温された循環水により温水暖房を行う温水暖房付エアコンの室外機に関する。
【０００２】
【従来の技術】
冷媒により室内機で室内暖房を行うと同時に温水暖房装置の循環水を加温し、加温された循環水により温水暖房を行う温水暖房付エアコンとしては、特許文献１に記載のものが知られている。
【０００３】
このような温水暖房付エアコンは、基本的に図４に示したような構成からなる。図４において、温水暖房付エアコン１００は、室外機１０１、室内機１０２、及び温水暖房装置である床暖房装置１０３を基本的な構成とする。室外機１０１は、室外に設けられる。この室外機１０１には、室外機１０１の動作制御を行う室外機コントローラが内蔵されている。また、室内機１０２は、居室内に設置される。床暖房装置１０３は、居室内の床に敷設される。
【０００４】
室外機１０１と室内機１０２とは、冷媒が循環する冷媒管１０４、制御信号の交信を行うための制御線１０５、及び室内機１０２から室外機１０１に電源供給を行うための電源線１０６によって接続されている。室外機１０１と室内機１０２とを繋ぐ冷媒管は、室外機１０１の内部に配設された冷媒管の出口に設けられた接続バルブに接続される。一方、室外機１０１と床暖房装置１０３とは、循環水が循環する循環水管１０７により接続されている。
【０００５】
また、室内機１０２は室内機コントローラを内蔵している。そして、室内機１０２には、室内機コントローラに対して、室内機１０２の電源のオン・オフや室内機１０２の吹き出し温度等の設定を行う室内機リモコン１０８が備えられている。床暖房装置１０３にも同様に、床暖房のオン・オフや床暖房装置１０３の加熱温度等を設定するための床暖房用リモコン１０９が備えられている。この床暖房用リモコン１０９は、直接室外機１０１に接続されている。
【０００６】
以上のような構成において、室内機１０２で暖房を行うとともに、床暖房装置１０３で床暖房を行う場合、まず、室外機１０１において、居室外の空気と減圧した冷媒との間で熱交換を行い、冷媒に居室外の空気の熱を吸収させる。そして、熱を吸収した冷媒を、室外機１０１に内蔵された圧縮機で加圧する。加圧されて高温となった冷媒は、循環水管１０７を循環する循環水と熱交換され、加温された循環水が床暖房装置１０３に送られて床暖房が行われる。また、一方で、加圧されて高温となった冷媒は、冷媒管１０４を通して室内機１０２に送られる。室内機１０２では、高温の冷媒と室内の空気との間で熱交換を行うことで、室内の暖房を行う。室内の空気に放熱した後の冷媒は、冷媒管１０４を通して室外機１０１に戻され、減圧された後に、再び居室外の空気との熱交換が行われる。
【０００７】
このように、温水暖房付エアコン１００は、室外機１０１、室内機１０２、及び床暖房装置１０３が協働して動作する。そのため、室外機１０１の室外機コントローラと室内機１０２の室内機コントローラとの間では、制御線１０５を介して制御信号の通信が行われる。これにより、室外機１０１の室外機コントローラと室内機１０２の室内機コントローラとは互いに協働して室内の暖房制御を行う。
【０００８】
【特許文献１】
特開２００３−７４９０９号公報
【０００９】
【発明が解決しようとする課題】
上述のように、温水暖房付エアコン１００では、室外機１０１の室外機コントローラと室内機１０２の室内機コントローラとは互いに協働して室内の暖房制御を行う。そのため、制御線１０５が接続不良等により正常に接続されていない場合には、室外機１０２の室外機コントローラは、異常動作を防止するために、警報を表示して動作を停止する。
【００１０】
一方、実際には、室内機１０２を使用せず、床暖房装置１０３のみを使用したいという使用者からの要望が多い。このような場合、室内機１０２を取り外して図５に示したような構成がとられる。この場合、室内機１０２に接続されていた冷媒管１０４は、室外機１０１の出口部分をバイパス管で短絡して冷媒が外に漏れないようにされる。
【００１１】
しかしながら、使用者の好みにより、図５のように室内機１０２を接続しない構成とした場合、室外機１０１の室外機コントローラは、室内機１０２からの制御信号が検出されないため接続不良であると判断される。そのため、室外機コントローラは警報を表示して動作を停止する。したがって、このように室外機コントローラが停止しないように、特別に室外機コントローラを入れ替える必要があった。
【００１２】
また、室内機１０２を接続しない場合、室内機１０２の代わりに、室外機１０１内の冷媒管の出口に設けられた接続バルブにバイパス管を接続し、ヒートポンプ・サイクルを形成する。この方法では、温水暖房付エアコンを設置する前にバイパス管を室外機１０２に接続し、バイパス管内のエアパージを行った後に、接続バルブを開弁してヒートポンプ・サイクルを完成させる必要がある。また、最初から室内機１０２なしで使用することを想定し、温水暖房付エアコンを工場から出荷する前に、室外機１０２にバイパス管を接続してエアパージを行っておき、室内機１０２なしで使用する場合にはそのまま接続バルブを開弁してヒートポンプ・サイクルを完成させ、室内機１０２を使用する場合には、温水暖房付エアコンの設置場所においてバイパス管を外して室内機１０２を取り付けてヒートポンプ・サイクルを完成させることを行う必要がある。
【００１３】
従って、何れの場合においても、室内機１０２なしで室外機１０１を使用する場合には、接続バルブの操作や配管のエアパージ等の余分な作業が必要とされていた。
【００１４】
そこで、本発明の目的は、室内機を接続するか否かにかかわらず、容易に設置することが可能な温水暖房付エアコンの室外機を提供することを目的とする。
【００１５】
【課題を解決するための手段】
本発明に係る温水暖房付エアコンの室外機の第１の構成は、冷媒と室内空気との間で熱交換を行う室内熱交換器と室内機コントローラとを内蔵する室内機に接続され、前記冷媒が循環する冷媒管、温水暖房装置に接続され、前記温水が循環する循環水管、室外の空気と前記冷媒との熱交換を行う空気冷媒熱交換器、前記空気冷媒熱交換器を通過した前記冷媒を加圧する圧縮機、前記圧縮機で加圧された冷媒と循環水管内の循環水との間で熱交換し、前記循環水を加温する温水冷媒熱交換器、前記温水冷媒熱交換器を通過した前記冷媒を減圧して前記空気冷媒熱交換器に送る冷媒減圧機構、循環水管内に循環水を循環させる循環ポンプ、及び、前記圧縮機と前記循環ポンプとの動作制御を行う室外機コントローラ、を備えた温水暖房付エアコンの室外機であって、前記室外機コントローラは、前記室外機の電源投入時に前記室内機コントローラとの通信の有無を検査する接続検査手段と、前記接続検査手段が前記室内機コントローラとの通信を検知しなかった場合、前記床暖房装置の設定温度に従って制御を行う単独運転制御手段と、を備えていることを特徴とする。
【００１６】
この構成により、室外機に室内機が接続されていない場合は、接続検査手段は、室内機コントローラとの通信がないことを検出する。そして、単独運転制御手段は、温水暖房装置の設定温度に従って圧縮機と循環ポンプとの制御を行うことにより、温水暖房単独の運転が行われる。このように、接続検査手段により室内機の接続の有無を自動的に検出して、それに適した運転に自動的に切り換える。これによって、従来のように警報を表示して室外機が停止することがなく、室外機に室内機を接続せずに使用する場合であっても、室外機コントローラを、温水暖房装置のみの単独使用専用の室外機コントローラに入れ替える必要はなくなる。
【００１７】
ここで、「温水暖房装置」とは、温水床暖房装置、温水式エアコン、温水式壁暖房装置等の温水熱を利用して暖房を行う装置をいう。
【００１８】
また、本発明の前記第１の構成において、前記室外機コントローラは、前記室外機の電源投入時に前記接続検査手段が前記室内機コントローラとの通信ができることを検出した場合に、前記室外機の電源投入後に前記室内機コントローラとの通信の遮断を検出する通信遮断検出手段と、前記通信遮断検出手段が前記室内機コントローラとの通信の遮断を検出した場合に、前記室外機の運転を停止する異常停止手段と、を備えた構成とすることができる。
【００１９】
これにより、室内機が室外機に取り付けられている場合において、室外機と室内機との通信に異常が生じた場合に、室外機の動作を停止して、異常動作が起こることを防止できる。
【００２０】
本発明に係る温水暖房付エアコンの室外機の第２の構成は、前記第１の構成において、前記室外機の内部に配設され、前記室内機に対して並列に前記冷媒管に接続されたバイパス管と、前記バイパス管に配設されたバイパス管遮断弁と、を備え、単独運転制御手段は、前記接続検査手段が前記室内機コントローラとの通信を検知しなかった場合には前記バイパス管遮断弁を開弁し、前記接続検査手段が前記室内機コントローラとの通信を検知した場合には前記バイパス管遮断弁を閉止することを特徴とする。
【００２１】
この構成によれば、室外機の電源投入時に接続検査手段により室内機との通信ができないことが検出された場合、単独運転制御手段が、バイパス管遮断弁を開弁して冷媒がバイパス管を通過することができるようにする。これにより、冷媒管のヒートポンプ・サイクルが完成し、室外機は温水暖房装置のみに熱供給を行うヒートポンプとして機能する。
【００２２】
一方、室外機の電源投入時に接続検査手段により室内機との通信ができることが検出された場合、単独運転制御手段は、バイパス管遮断弁を閉止して冷媒がバイパス管を通過できないようにする。これにより、冷媒はバイパス管に流れ込むことなく、室内機の室内熱交換器に送られ、空気冷媒熱交換器、温水冷媒熱交換器、及び室内熱交換器の間でのヒートポンプ・サイクルが完成する。従って、室外機は、温水暖房装置及び室内機に熱供給を行うヒートポンプとして機能する。
【００２３】
このように、接続検査手段が室内機の接続の有無を検知して、自動的に冷媒の循環径路をバイパス管又は室内機に切り換えることによって、室内機なしで室外機を使用する場合と室内機付きで室外機を使用する場合との両方の使用形態が想定される場合であっても、従来のように、接続バルブの操作や配管のエアパージ等の余分な作業は必要なくなる。
【００２４】
本発明に係る温水暖房付エアコンの室外機の第３の構成は、前記第１又は２の構成において、前記温水暖房装置は、温水式の床暖房装置であることを特徴とする。
【００２５】
この構成により、室内機によるエアコン暖房と温水式の床暖房装置による温水床暖房との双方に使用することができ、使用者の好みによって、床暖房装置のみに使用する場合でも、容易に設置することが可能な温水暖房付エアコンの室外機を提供できる。
【００２６】
【発明の実施の形態】
以下、本発明の一実施形態について、図面を参照しながら説明する。
（実施形態１）
図１は本発明の実施形態１に係る温水暖房付エアコンの構成を表す図である。本実施形態に係る温水暖房付エアコン１は、室外機２、室内機３、及び温水暖房装置である床暖房装置４の３つの部分から構成された温水床暖房付エアコンである。室外機２と室内機３とは、冷媒が循環する冷媒管５、及び制御線６によって接続されている。また、室外機２と床暖房装置４とは、床暖房用の循環水が循環する循環水管７によって接続されている。
【００２７】
冷媒管５は、室外機２内部、室外機２と室内機３との接続部、及び室内機３の内部の３つの部分からなり、閉ループを構成している。冷媒管５の室外機２の出口部分には、接続バルブ５ｃ，５ｄが取り付けられている。また、冷媒管５の室内機３の出口部分には、接続口５ｅ，５ｆが取り付けられている。また、循環水管７の室外機２の出口部分には、接続バルブ７ａ，７ｂが取り付けられている。
【００２８】
室外機２の内部の冷媒管５には、空気冷媒熱交換器８、四方弁９、圧縮機１０、温水冷媒熱交換器１１、マフラー１２、ストレーナ１３、電子膨張弁１４、及びキャピラリチューブ１５が接続されている。
【００２９】
空気冷媒熱交換器８は、室外の空気と前記冷媒との熱交換を行う。空気冷媒熱交換器８には、プロペラファン２１によって室外の空気が送風される。そして、この室外の空気と冷媒との間で、熱交換が行われる。
【００３０】
圧縮機１０は、冷媒管５内の冷媒を加圧する。四方弁９は、冷媒管５に対して、圧縮機１０の吐出方向を切り換える。すなわち、暖房時には、四方弁９は、圧縮機１０の吸入側配管５ａを空気冷媒熱交換器８側の冷媒管５に連通するとともに、圧縮機１０の吐出側配管５ｂを室内機３側の冷媒管５に連通する。これにより、空気冷媒熱交換器８において室外の空気から吸熱した冷媒が圧縮機１０により加圧され、温水冷媒熱交換器１１及び室内機３の室内熱交換器１７で放熱される。一方、冷房時には、四方弁９は、圧縮機１０の吸入側配管５ａを室内機３側の冷媒管５に連通するとともに、圧縮機１０の吐出側配管５ｂを空気冷媒熱交換器８側の冷媒管５に連通する。これにより、室内機３から戻る冷媒が圧縮機１０により加圧され、空気冷媒熱交換器８で放熱される。
【００３１】
温水冷媒熱交換器１１の一方は、冷媒管５により四方弁９に接続されている。この温水冷媒熱交換器１１は、圧縮機１０で加圧された冷媒と循環水管７内の循環水との間で熱交換し、循環水を加温する。温水冷媒熱交換器１１の他方の側は、冷媒管５により接続バルブ５ｃに接続されている。
【００３２】
また、冷媒管５には、温水冷媒熱交換器１１に並列に、バイパス管５’が接続されている。このバイパス管５’には、逆止弁１６が設けられており、室内機３側から四方弁９側の方向にのみ冷媒が通過できる。
【００３３】
一方、接続バルブ５ｄと空気冷媒熱交換器８との間の冷媒管５には、マフラー１２、ストレーナ１３、電子膨張弁１４、及びキャピラリチューブ１５の順で各々が接続されている。マフラー１２は、冷媒管５内を循環する冷媒に発生する音を消音する。ストレーナ１３は、冷媒管５内に浮遊するゴミをフィルターで除去する。電子膨張弁１４は、絞りによって冷媒管５内の冷媒を減圧する冷媒減圧機構として機能する。キャピラリチューブ１５は、電子膨張弁１４通過時の冷媒流動音を低減する。電子膨張弁１４は、空気冷媒熱交換器８、室内熱交換器１７の過熱度、過冷却度により開度を調節する。
【００３４】
室外機２と室内機３との間の冷媒管５は、保温パイプにより保温されている。室内機３には、室内熱交換器１７及びクロスフローファン１８が設けられている。室内熱交換器１７には接続口５ｅ，５ｆを介して冷媒管５が接続されている。室内熱交換器１７の内部には冷媒が通され、冷媒と室内の空気との熱交換を行う。クロスフローファン１８は、室内の空気を室内熱交換器１７に送風するためのファンである。
【００３５】
一方、室外機２内の循環水管７には、接続バルブ７ａの側から、循環ポンプ１９、給水タンク２０、温水冷媒熱交換器１１が設けられている。そして、接続バルブ７ａ，７ｂと床暖房装置４との間は、温水パイプからなる循環水管７により接続されている。循環ポンプ１９は、循環水管７内において、循環水を給水タンク２０から床暖房装置４の方向に送水する。床暖房装置４内に送水された循環水は、床暖房装置４内で放熱し、接続バルブ７ｂを通って、温水冷媒熱交換器１１に送られる。そして、温水冷媒熱交換器１１において、循環水は冷媒管５内の冷媒から熱が供給される。その後、加熱された循環水は再び給水タンク２０に戻される。
【００３６】
室外機２には、四方弁９、圧縮機１０、電子膨張弁１４、循環ポンプ１９、及びプロペラファン２１の動作制御を行う室外機コントローラ２３が設けられている。また、室内機３には、クロスフローファン１８の動作制御を行う室内機コントローラ２４が設けられている。室外機コントローラ２３と室内機コントローラ２４とは、制御線６を介して制御データの通信が行われる。また、室内機コントローラ２４には、室内機リモコン２５が接続されている。使用者は、この室内機リモコン２５により、室内機３に対して、送風強度や送風温度等を設定することができる。また、床暖房装置４には、床暖房用リモコン２６が備えられている。この床暖房用リモコン２６は、ケーブルによって、直接室外機コントローラ２３に接続されている。使用者は、この床暖房用リモコン２６によって、床暖房の温度を設定することができる。
【００３７】
尚、図１は、室外機２に室内機３が接続されている構成を表しているが、本実施形態においては、室内機３を室外機２に取り付けない構成をとることもできる。この場合、制御線６の接続を外し、接続バルブ５ｃ，５ｄから冷媒管５を取り外す。そして、接続バルブ５ｃと接続バルブ５ｄの間を外付けのバイパス管（図示せず）によって短絡し、冷媒循環路を構成する。
【００３８】
以上のように構成された本実施形態に係る温水暖房付エアコンについて、以下その室外機の動作について説明する。
【００３９】
図２は本発明の実施形態１に係る温水暖房付エアコンの室外機の動作を表すフローチャートである。まず、温水暖房付エアコンのシステム電源が入れられると、室外機コントローラ２３は、制御線６に対して接続検査信号を出力する（Ｓ１）。そして、室外機コントローラ２３は、接続検査信号に対する応答信号が制御線６を介して送信されているか否かを検出する（Ｓ２）。尚、室外機２に室内機３が取り付けられている場合には、室内機３の室内機コントローラ２４は、制御線６から接続検査信号が検出されると、応答信号を制御線６に対して出力する。
【００４０】
室外機２に室内機３が取り付けられていない場合、制御線６からは応答信号は検出されない。この場合、室外機コントローラ２３は、単独運転制御動作を行う（Ｓ３）。
【００４１】
ここで、単独運転制御動作とは、床暖房用リモコン２６によって設定される床暖房装置４の設定温度Ｔｆに従って圧縮機１０、循環ポンプ１９、及びプロペラファン２１の制御を行う動作をいう。すなわち、床暖房用リモコン２６の運転スイッチをオンにし、床暖房用リモコン２６により暖房温度を設定すれば、圧縮機１０、循環ポンプ１９、プロペラファン２１が駆動し、循環水を介して床暖房装置４を加熱する。その際、単独運転制御動作では、圧縮機１０の運転周波数や除霜時の動作等について、室内機３が取り付けられている場合とは異なる制御する。また、床暖房用リモコン２６において室内機３との連動機能（例えば、暖房運転起動時は室内機３主体の運転とし、床暖房は殆ど行わず、しばらく運転して暖房室内が暖まってきた場合には徐々に床暖房主体の運転に切り換える機能）を備えている場合、連動機能は無効とされる。
【００４２】
このように、室外機コントローラ２３が室内機３の接続の有無を自動的に検出して、それに適した運転に自動的に切り換えることによって、従来のように警報を表示して室外機２が停止することがない。従って、室外機２に室内機３を接続せずに使用する場合であっても、室外機コントローラ２３を、床暖房装置４のみの単独使用専用の室外機コントローラに入れ替える必要はなくなる。
【００４３】
一方、室外機２に室内機３が取り付けられている場合には、制御線６から応答信号が検出される。この場合、室外機２の室外機コントローラ２３は、室内機コントローラ２４との通信の遮断を検出する（Ｓ４）。通信が正常な場合には、通信遮断は検出されないので、室外機コントローラ２３は、室内機３がある場合の制御動作を行う（Ｓ５）。
【００４４】
ここで、室内機３がある場合の制御動作とは、室内機リモコン２５により設定される室内機３の送風温度Ｔａと床暖房用リモコン２６により設定される床暖房装置４の設定温度Ｔｆの双方に基づいて、圧縮機１０、循環ポンプ１９、及びプロペラファン２１の制御を行う動作をいう。すなわち、例えば、床暖房用リモコン２６の運転スイッチをオンにし、床暖房用リモコン２６により暖房温度を設定し、かつ、室内機３との連動機能を実行することが選択されていた場合には、圧縮機１０、プロペラファン２１を起動し、送風温度が一定温度に達するまで室内機３のクロスフローファン１８をオンにして暖房し、その後循環ポンプ１９をオンにして床暖房装置４を加熱する、といった制御を行う動作である。
【００４５】
一方、ステップＳ５において、室外機コントローラ２３が室内機コントローラ２４との通信の遮断を検出した場合、室外機コントローラ２３は、室外機２の運転を停止し、通信異常警報を表示する（Ｓ６）。ここで、通信異常警報とは、例えば、異常ランプの点灯や、異常警報ブザーによる報知等をいう。
【００４６】
これにより、室内機３が室外機２に取り付けられている場合に、室外機２と室内機３との通信に異常が生じた場合、室外機２の動作を停止して、異常動作が起こることを防止できる。
【００４７】
次に、室外機コントローラ２３は、通信の遮断が解除されたか否かを判定し（Ｓ７）、正常でない場合には通信異常警報を表示し続ける（Ｓ６）。一方、通信の遮断が解除され正常な通信状態に戻った場合には（Ｓ７）、再びステップＳ４の動作に戻る。
【００４８】
（実施形態２）
図３は本発明の実施形態２に係る温水暖房付エアコンの構成を表す図である。図３の温水暖房付エアコン１’において、室内機３、床暖房装置４、冷媒管５、バイパス管５’、吸入側配管５ａ、吐出側配管５ｂ、接続バルブ５ｃ，５ｄ、接続口５ｅ，５ｆ、制御線６、循環水管７、接続バルブ７ａ，７ｂ、空気冷媒熱交換器８、四方弁９、圧縮機１０、温水冷媒熱交換器１１、マフラー１２、ストレーナ１３、電子膨張弁１４、キャピラリチューブ１５、逆止弁１６、室内熱交換器１７、クロスフローファン１８、循環ポンプ１９、給水タンク２０、プロペラファン２１、室内機コントローラ２４、室内機リモコン２５、床暖房用リモコン２６は、図１と同様のものである。
【００４９】
本実施形態では、室外機２’において、冷媒管５の接続バルブ５ｃと接続バルブ５ｄとの間に、室内機２に対して並列にバイパス管３１を設けると共に、バイパス管３１にバイパス管遮断弁３２を設けていることを特徴とする。バイパス管遮断弁３２は、電動弁、電動膨張弁、その他電動で遮断機能をもつ部品が使用される。このバイパス管遮断弁３２は、室外機２’を制御する室外機コントローラ２’により開閉制御される。
【００５０】
本実施形態に係る温水暖房付エアコン１’の室外機２’の動作は、基本的には実施形態１で説明した動作と同様である。実施形態１との違いは、室外機コントローラ２３’は、図２のステップＳ２において、室内機コントローラ２４との通信を検知しなかった場合にはバイパス管遮断弁３２を開弁する制御を行い、また、図２のステップＳ２において、室内機コントローラ２４との通信を検知した場合にはバイパス管遮断弁３２を閉止することである。
【００５１】
これにより、室外機２’の電源投入時に室内機３との通信ができないことが検出された場合、バイパス管遮断弁３２が開弁されて冷媒がバイパス管３１を通過することができるようになるため、接続バルブ５ｃ，５ｄが閉止された状態でも冷媒管５のヒートポンプ・サイクルが完成し、室外機２’は床暖房装置４のみに熱供給を行うヒートポンプとして機能する。
【００５２】
一方、室外機２’の電源投入時に室内機３との通信ができることが検出された場合、バイパス管遮断弁３２が閉止されて冷媒がバイパス管３１を通過できないようになるため、冷媒はバイパス管３１に流れ込むことなく、室内機３の室内熱交換器１７に送られ、空気冷媒熱交換器８、温水冷媒熱交換器１１、及び室内熱交換器１７の間でのヒートポンプ・サイクルが完成する。従って、室外機２’は、床暖房装置４及び室内機３に熱供給を行うヒートポンプとして機能する。
【００５３】
このように、室外機コントローラ２３’が室内機３の接続の有無を検知して、自動的に冷媒の循環径路をバイパス管３１又は室内機３に切り換えることによって、室内機３なしで室外機２’を使用する場合と室内機３付きで室外機２’を使用する場合との両方の使用形態が想定される場合であっても、従来のように、接続バルブの操作や配管のエアパージ等の余分な作業は必要なくなる。
【００５４】
尚、本実施形態においては、バイパス管３１は、室外機２’内部の接続バルブ５ｃ，５ｄ近傍の冷媒管５の間に接続する構成とした。しかし、バイパス管遮断弁３２に電動膨張弁を使用する場合には、バイパス管３１は、室外機２’内部の接続バルブ５ｃ近傍の冷媒管５と電子膨張弁１４及びキャピラリチューブ１５の間の冷媒管５との間、又は、室外機２’内部の接続バルブ５ｃ近傍の冷媒管５とキャピラリチューブ１５及び空気冷媒熱交換器８の間の冷媒管５との間に接続する構成としてもよい。バイパス管遮断弁３２が電子膨張弁１４の代わりとして、冷媒減圧機構として機能するからである。
【００５５】
尚、本実施形態では床暖房を例として説明したが、居室内に放熱器を設置したり、居室の壁に放熱パネルを埋め込んで暖房を行うことも可能である。
【００５６】
【発明の効果】
以上のように、本発明に係る温水暖房付エアコンの室外機によれば、接続検査手段によって室内機が接続されているか否かを自動検出して、その検出結果によって、室外機の動作を自動的に切り換えることで、室外機に室内機を接続せずに使用する場合であっても、室外機コントローラを、床暖房装置のみの単独使用専用の室外機コントローラに入れ替える必要はなくなる。
【００５７】
また、接続検査手段が室内機の接続の有無を検知して、自動的に冷媒の循環径路をバイパス管又は室内機に切り換えることによって、室内機なしで室外機を使用する場合と室内機付きで室外機を使用する場合との両方の使用形態が想定される場合であっても、従来のように、接続バルブの操作や配管のエアパージ等の余分な作業は必要なく、温水暖房付エアコンを容易に設置することができる。
【００５８】
従って、室内機を接続するか否かにかかわらず、容易に設置することが可能となる。
【図面の簡単な説明】
【図１】本発明の実施形態１に係る温水暖房付エアコンの構成を表す図である。
【図２】本発明の実施形態１に係る温水暖房付エアコンの室外機の動作を表すフローチャートである。
【図３】本発明の実施形態２に係る温水暖房付エアコンの構成を表す図である。
【図４】従来例の温水暖房付エアコンの基本構成を表す図である。
【図５】従来例の温水暖房付エアコンで室内機を接続しない構成を表す図である。
【符号の説明】
１，１’  温水暖房付エアコン
２，２’  室外機
３  室内機
４  床暖房装置
５  冷媒管
５’  バイパス管
５ａ  吸入側配管
５ｂ  吐出側配管
５ｃ，５ｄ  接続バルブ
５ｅ，５ｆ  接続口
６  制御線
７  循環水管
７ａ，７ｂ  接続バルブ
８  空気冷媒熱交換器
９  四方弁
１０  圧縮機
１１  温水冷媒熱交換器
１２  マフラー
１３  ストレーナ
１４  電子膨張弁
１５  キャピラリチューブ
１６  逆止弁
１７  室内熱交換器
１８  クロスフローファン
１９  循環ポンプ
２０  給水タンク
２１  プロペラファン
２３，２３’  室外機コントローラ
２４  室内機コントローラ
２５  室内機リモコン
２６  床暖房用リモコン
３１  バイパス管
３２  バイパス管遮断弁
【図１】
2005024199.tif 000003
【図２】
2005024199.tif 000004
【図３】
2005024199.tif 000005
【図４】
2005024199.tif 000006
【図５】
2005024199.tif 000007